【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
入力信号を波形等化しつつ、その等化特性を適応化する波形等化装置において、
前記入力信号に対して波形等化を行うことにより等化後信号を生成する等化手段と、
前記等化後信号に対するビタビ復号過程における正解パスと誤りパスとのパスメトリック差を検出する等化後パスメトリック差検出手段と、
検出された前記等化後信号のパスメトリック差の目標値に対する誤差に基づいて前記適応化を行う等化適応化手段と、
前記入力信号又は等化後信号の信号品質を評価する信号品質評価手段とを備え、
前記等化適応化手段は、前記信号品質評価手段による評価結果に基づいて、前記適応化の処理を制御することを特徴とする波形等化装置。
【請求項２】
前記信号品質評価手段は、前記等化後パスメトリック差検出手段により検出された前記等化後信号のパスメトリック差の値に基づいて信号品質を評価することを特徴とする請求項１に記載の波形等化装置。
【請求項３】
前記信号品質評価手段は、前記等化後信号のパスメトリック差の値が許容範囲内であるか否かを判定し、
前記等化適応化手段は、前記信号品質評価手段において前記等化後信号のパスメトリック差の値が許容範囲外と判定された場合に、前記適応化の処理を一時的に停止することを特徴とする請求項２に記載の波形等化装置。
【請求項４】
前記信号品質評価手段において前記等化後信号のパスメトリック差の値が許容範囲外と判定された場合に、前記等化適応化手段における適応化の処理を一時的に停止させる適応化一時停止手段を備えることを特徴とする請求項３に記載の波形等化装置。
【請求項５】
前記入力信号に対するビタビ復号過程における正解パスと誤りパスとのパスメトリック差を検出する等化前パスメトリック差検出手段をさらに備え、
前記信号品質評価手段は、前記等化前パスメトリック差検出手段により検出された入力信号のパスメトリック差の値に基づいて信号品質を評価することを特徴とする請求項１に記載の波形等化装置。
【請求項６】
前記信号品質評価手段は、前記入力信号のパスメトリック差の値が許容範囲内であるか否かを判定し、
前記等化適応化手段は、前記信号品質評価手段において前記入力信号のパスメトリック差の値が許容範囲外と判定された場合に、前記適応化の処理を一時的に停止することを特徴とする請求項５に記載の波形等化装置。
【請求項７】
前記信号品質評価手段において前記入力信号のパスメトリック差の値が許容範囲外と判定された場合に、前記等化適応化手段における適応化の処理を一時的に停止させる適応化一時停止手段を備えることを特徴とする請求項６に記載の波形等化装置。
【請求項８】
前記等化前パスメトリック差検出手段は、入力信号の特定のパーシャルレスポンス特性及び特定の復号パターンに対応して予め設定されたパスメトリック差の演算式を実行するものであることを特徴とする請求項５から７の何れか１項に記載の波形等化装置。
【請求項９】
入力信号を波形等化しつつ、その等化特性を適応化する波形等化装置において、
前記入力信号に対して波形等化を行うことにより等化後信号を生成する等化手段と、
前記等化後信号に対するビタビ復号過程における正解パスと誤りパスとのパスメトリック差を検出する等化後パスメトリック差検出手段と、
検出された前記等化後信号のパスメトリック差の目標値に対する誤差に基づいて前記等化特性を更新することによって前記適応化を行う等化適応化手段と、
前記等化特性の更新量を評価する等化更新量評価手段とを備え、
前記等化適応化手段は、前記等化更新量評価手段による評価結果に基づいて、前記適応化の処理を制御することを特徴とする波形等化装置。
【請求項１０】
前記等化更新量評価手段は、前記等化特性の更新量が許容範囲内であるか否かを判定し、
前記等化適応化手段は、前記等化更新量評価手段において前記等化特性の更新量が許容範囲外と判定された場合に、前記適応化の処理を一時的に停止することを特徴とする請求項９に記載の波形等化装置。
【請求項１１】
前記等化更新量評価手段において前記等化特性の更新量が許容範囲外と判定された場合に、前記等化適応化手段における適応化の処理を一時的に停止させる適応化一時停止手段を備えることを特徴とする請求項１０に記載の波形等化装置。
【請求項１２】
前記適応化一時停止手段は、前記適応化の処理を複数回分停止することを特徴とする請求項４、７、１１の何れか１項に記載の波形等化装置。
【請求項１３】
前記等化手段は、前記入力信号をＡ／Ｄ変換したデジタル入力信号列に対して複数の等化係数を順次対応づけつつ、前記各等化係数と、当該各等化係数に対応づけられた各デジタル入力信号列との畳み込み演算を行うことにより等化後信号列を生成するデジタルフィルタであり、
前記等化適応化手段は、前記各等化係数を変数として作成される前記誤差の平均二乗値を表す関数を最小値に近づけるように前記各等化係数を微小幅で更新することにより、前記適応化を行うことを特徴とする請求項１から１２の何れか１項に記載の波形等化装置。
【請求項１４】
請求項１から１３の何れか１項に記載の波形等化装置を動作させる波形等化プログラムであって、コンピュータを前記各手段として機能させるための波形等化プログラム。
【請求項１５】
請求項１４に記載の波形等化プログラムを記録したコンピュータ読み取り可能な記録媒体。
【請求項１６】
入力信号を波形等化しつつ、その等化特性を適応化する波形等化方法において、
前記入力信号に対して波形等化を行うことにより等化後信号を生成する等化ステップと、
前記等化後信号に対するビタビ復号過程における正解パスと誤りパスとのパスメトリック差を検出する等化後パスメトリック差検出ステップと、
検出された前記等化後信号のパスメトリック差の目標値に対する誤差に基づいて前記適応化を行う等化適応化ステップと、
前記入力信号の信号品質を評価する入力信号評価ステップとを含み、
前記等化適応化ステップでは、前記入力信号評価ステップにおける評価結果に基づいて、前記適応化の処理を制御することを特徴とする波形等化方法。
【請求項１７】
前記入力信号評価ステップでは、前記等化後パスメトリック差検出ステップにより検出された前記等化後信号のパスメトリック差の値に基づいて信号品質を評価することを特徴とする請求項１６に記載の波形等化方法。
【請求項１８】
前記入力信号に対するビタビ復号過程における正解パスと誤りパスとのパスメトリック差を検出する等化前パスメトリック差検出ステップをさらに含み、
前記入力信号評価ステップでは、前記等化前パスメトリック差検出ステップにより検出された入力信号のパスメトリック差の値に基づいて信号品質を評価することを特徴とする請求項１６に記載の波形等化方法。
【請求項１９】
入力信号を波形等化しつつ、その等化特性を適応化する波形等化方法において、
前記入力信号に対して波形等化を行うことにより等化後信号を生成する等化ステップと、
前記等化後信号に対するビタビ復号過程における正解パスと誤りパスとのパスメトリック差を検出する等化後パスメトリック差検出ステップと、
検出された前記等化後信号のパスメトリック差の目標値に対する誤差に基づいて前記等化特性を更新することによって前記適応化を行う等化適応化ステップと、
前記等化特性の更新量を評価する等化更新量評価ステップとを含み、
前記等化適応化ステップでは、前記等化更新量評価ステップにおける評価結果に基づいて、前記適応化の処理を制御することを特徴とする波形等化方法。